【手続補正書】
【提出日】平成22年8月30日(2010.8.30)
【手続補正１】
【補正対象書類名】特許請求の範囲
【補正対象項目名】請求項３
【補正方法】変更
【補正の内容】
【請求項３】
前記アジャストプレートは平面非円形に形成され、このアジャストプレートを収容する前記スライダーのスプリング収容部は横断面非円形に形成され、このアジャストプレートの中央部に、前記アジャスト部と螺合するアジャスト孔が設けられていることを特徴とする、請求項２記載の原稿圧着板開閉装置。
【手続補正２】
【補正対象書類名】明細書
【補正対象項目名】０００９
【補正方法】変更
【補正の内容】
【０００９】
本発明に係る原稿圧着板開閉装置において、前記操作プレートは、円板状に形成され、この操作プレートの一方の面に、その軸方向に延びると共に外周にネジ溝が設けられている前記アジャスト部が設けられ、前記操作プレートの他方の面に、その軸方向に延びると共に前記貫通孔に回転可能に嵌合されている前記操作部が設けられていることが好ましい。また、本発明に係る原稿圧着板開閉装置において、前記アジャストプレートは平面非円形に形成され、このアジャストプレートを収容する前記スライダーのスプリング収容部は横断面非円形に形成され、このアジャストプレートの中央部に、前記アジャスト部と螺合するアジャスト孔が設けられていることが好ましい。また、本発明に係る原稿圧着板開閉装置において、前記一対のスライダー内に、前記コンプレッションスプリングが２つ以上並列され、これらコンプレッションスプリングの少なくとも１つのコンプレッションスプリングの少なくとも一方の端部に、前記操作プレート及び前記アジャストプレートが設けられていることが好ましい。また、本発明に係る原稿圧着板開閉装置において、前記操作プレートは、前記支持部材の自由端部側の前記スライダー内に設けられ、このスライダーの端部に、前記操作部を外部に露出させる前記貫通孔が設けられていることが好ましい。また、本発明に係る原稿圧着板開閉装置において、前記支持部材の自由端部側には、この支持部材に重なり合うリフト部材が回動可能に取り付けられ、前記原稿圧着板は、前記リフト部材へ取り付けられ、かつ、前記一対のスライダー及び前記コンプレッションスプリングは、前記リフト部材と前記取付部材との間に設けられ、前記リフト部材を前記支持部材と重なり合う方向へ付勢すると共に前記原稿圧着板を開成方向に回転付勢することが好ましい。
【手続補正３】
【補正対象書類名】明細書
【補正対象項目名】００２１
【補正方法】変更
【補正の内容】
【００２１】
リフト部材４は、厚さが厚い原稿も機器本体１１の上面に安定して圧着させるためのものである。リフト部材４は、原稿圧着板１２の後端側にネジやビス等で取り付けられる矩形平板状の上板４１と、この上板４１の両端部からそれぞれ上板４１に対して直交する下方向（略直交する方向も含む。）に延びる両側板４２とから略コ字状であって支持部材３を覆うように形成されている。両側板４２、４２にはリフト部材４を原稿圧着板１２に取り付けるための取付孔（図示せず）を有するフランジ（図３参照）がそれぞれ設けられている。
【手続補正４】
【補正対象書類名】明細書
【補正対象項目名】００２５
【補正方法】変更
【補正の内容】
【００２５】
コンプレッションスプリング５は、その個数は特に限定されず、１つでも２つ以上でもよく、また、２つ以上を並列させてもよく、例えば、図示例では、径の大きなコンプレッションスプリング５１の中に径の小さなコンプレッションスプリング５２を入れたものを２組並列させてもよい。すなわち、コンプレッションスプリング５は、原稿圧着板１２を開成方向に回転付勢すると共に、原稿圧着板１２が任意の回動角度（例えば、略２０°）以下のとき、原稿圧着板１２を付勢する弾力が原稿圧着板１２のモーメントより小さくなるならばどのように構成してもよい。
【手続補正５】
【補正対象書類名】明細書
【補正対象項目名】００２６
【補正方法】変更
【補正の内容】
【００２６】
第１スライダー６及び第２スライダー７は、それぞれ断面矩形の有底筒体状に形成されている。第１スライダー６及び第２スライダー７は、２組のコンプレッションスプリング５の端部をそれぞれ個別に収容するスプリング収容部６５、７５が２つそれぞれ設けられている。操作プレート８１が設けられている第１スライダー６のスプリング収容部６５の内形は、円形以外の形状、例えば、楕円形、三角形、矩形、５角形以上の多角形などの横断面非円形（図示例では８角形（図４参照。））に形成されている。第２スライダー７のスプリング収容部７５の内形は、第１スライダー６のスプリング収容部６５と同じ形状等の横断面非円形に形成してもよいし、円形に形成してもよい。また、第１スライダー６の一方のスプリング収容部６５を形成する底部には、その略同軸上に円形の貫通孔６１が設けられている。
【手続補正６】
【補正対象書類名】明細書
【補正対象項目名】００２９
【補正方法】変更
【補正の内容】
【００２９】
第２スライダー７の底部（閉塞部ということがある。）の外表面の略中央部には、突部７１が設けられている。この突部７１の下方は漸次傾斜された傾斜部７２として形成されている。この第２スライダー７の底部の外表面の突部７１及び傾斜部７２がカムとして形成されている。すなわち、閉成位置にある原稿圧着板１２（図１参照。）をコンタクトガラス１３から離間する方向（上方）に第１ヒンジピン１５を軸に回転させると、受圧ローラ１７に当接する箇所が突部７１から傾斜部７２へと徐々に摺動すると共に、第２スライダー７がコンプレッションスプリング５によって支持部材３内を後端部側へと押圧されて摺動し、コンプレッションスプリング５が徐々に伸びる（図２参照。）。そして、原稿圧着板１２が最大使用開放角度（例えば、略６０°〜略７０°）になると、その開閉が原稿圧着板開閉規制機構（図示せず）によって規制されるようになっている。なお、図１及び図２中、符号７３は延出片を示している。この延出片７３は、例えば、第２スライダー７の幅より若干短い寸法の幅で形成されていることが好ましい。これにより、受圧ローラ１７の外表面に第２スライダー７との摺接を円滑にする潤滑用のグリスが塗布されていても、延出片７３が受圧ローラ１７の外周の大部分を覆うために、原稿をコンタクトガラス上に置く時又は原稿をコンタクトガラス上から取る時に原稿の端が延出片７３に当たり、グリスが塗布されている受圧ローラ１７に接触して汚れてしまうことがないようになっている。
【手続補正７】
【補正対象書類名】明細書
【補正対象項目名】００３２
【補正方法】変更
【補正の内容】
【００３２】
アジャストプレート８４は、図３及び図６に示すように、第１スライダー６のスプリング収容部６５内でその軸方向に移動可能であるが、軸回りに回転しない形状、例えば、スプリング収容部６５より若干小さな平面非円形の例えば８角形状の板状に形成されている。すなわち、アジャストプレート８４は、スプリング収容部６５に嵌合されて軸回りに回転しないと共に、スプリング収容部６５の軸方向に移動可能な形状に形成されている。このアジャストプレート８４の略中央部には、アジャスト部８２に螺合するアジャスト孔８４ａを有する螺合部８４ｂが突出されており、操作プレート８１が回転することによりアジャストプレート８４がアジャスト部８２に対してその軸方向に移動するようになっている。このアジャストプレート８４にコンプレッションスプリング５の端部が当接しており、アジャストプレート８４の位置が変わることによりコンプレッションスプリング５の弾力が調節されるようになっている。
【手続補正８】
【補正対象書類名】図面
【補正対象項目名】図３
【補正方法】変更
【補正の内容】
【図３】
2009058790.tif 000001